(57)【要約】【課題】風向調整装置において、ハウジングの開口部の向かい合う長手壁の離間距離が一定に保たれ、かつ、ルーバの組付性を悪化させないようにするための撓み矯正部材を提供すること。【解決手段】空調装置から供給される調整風の風向を調整する風向調整装置に設けられる撓み矯正部材３であって、前記風向調整装置はハウジング１とルーバ２とを備え、前記ハウジング１は前記調整風が通流する矩形状の開口部を有し、前記撓み矯正部材３は、前記調整風が通流する上流側の開口部において短手方向と平行な方向に設置され、かつ、一方の端部は前記開口部の壁に固定される固定端であり、他方の端部は前記ルーバ２の取り付け時に前記開口部の壁が短手方向に可動することを許容する端部であって前記ハウジング１の向かい合う長手壁が撓まないように矯正する支持部を有していることを特徴とする撓み矯正部材。【選択図】図２
2015218955.tif 000002
【特許請求の範囲】
【請求項１】
空調装置から供給される調整風の風向を調整する風向調整装置に設けられる撓み矯正部材であって、
前記風向調整装置はハウジングとルーバとを備え、
前記ハウジングは前記調整風が通流する矩形状の開口部を有し、
前記撓み矯正部材は、前記調整風が通流する上流側の開口部において短手方向と平行な方向に設置され、かつ、一方の端部は前記開口部の壁に固定される固定端であり、他方の端部は前記ルーバの取り付け時に前記開口部の壁が短手方向に可動することを許容する端部であって前記ハウジングの向かい合う長手壁が撓まないように矯正する支持部を有していることを特徴とする撓み矯正部材。
【請求項２】
請求項１に記載の前記撓み矯正部材を備えることを特徴とする風向調整装置。
【請求項３】
前記撓み矯正部材から前記調整風の通流方向と平行な方向の下流位置の開口部に前記ハウジングと一体に形成された支持柱を有することを特徴とする請求項２に記載の風向調整装置。
【発明の詳細な説明】
【技術分野】
【０００１】
本発明は、自動車などに搭載される空調装置からの調整風の吹き出し口に設けられる風向調整装置に関する。
【背景技術】
【０００２】
自動車などの車両には車室内の環境を快適にするために空調装置が設けられており、当該空調装置からの調整風はインストルメントパネルなどに設けられた矩形状の吹き出し口から車室内に供給される。この吹き出し口には調整風の風向きを上下左右に調整するための風向調整装置が設けられており、搭乗者は自在に風向きを調整することが可能となっている。
【０００３】
一般的な前記風向調整装置は、図９に示すように、各部材を収納するハウジング１と風向きを調整するためのルーバ２とからなる。ルーバ２は複数枚の羽根部材が連結片によって連動可能に連結されたユニットとなっており、そのようなユニットの状態で前記ハウジング１内に組み付けられる。ハウジング１内へのルーバ２の組付けは、羽根部材の軸の両端をハウジング１に穿孔された差込孔に差し込むことによって行われる。羽根部材の軸の長さはハウジング１の開口部の短手方向の長さよりも長く設計されており、これによってハウジング内の差込孔から脱落しないようになっている。
【０００４】
前記ハウジング１にルーバ２を組付ける際には、ハウジング１の開口部を前記羽根部材の軸の長さよりも広く広げる必要がある。ハウジング１やルーバ２は合成樹脂によって形成されているため開口部を撓ませて広げることでルーバ１を取り付けることができる。
しかしながら、ハウジング１が剛性の大きい合成樹脂によって形成されていると、ルーバ２をハウジング１に取り付ける際に開口部を充分に広げられず、前記羽根部材の軸の両端によってハウジング１を傷つけてしまう場合がある。このような問題に対して、例えば特許文献１においては、ハウジング１の一部に除肉部や薄肉部を設けて開口部を広げやすくすることが提案されている。
【先行技術文献】
【特許文献】
【０００５】
【特許文献１】実開平０１−０６３９５３号公報
【発明の概要】
【発明が解決しようとする課題】
【０００６】
特許文献１に記載のハウジングは一部にスリット形状を設定することでルーバの取り付け時の挿入性を向上させているが、スリット形状を起点に製品が変形したり破損したりしてしまう場合がある。
また、前記ハウジングは樹脂製であるため、成形変形によって開口部の長手壁が撓んで内反りが発生してしまう場合がある。そうすると前記ルーバを組付けて嵌合する軸受け間隔寸法が小さくなるため、ルーバを組付ける際にハウジングを傷つけてしまったり、ルーバの羽根部材の軸方向に作用する圧縮荷重が大きくなりすぎてルーバの操作性が悪くなってしまったりする。このような成形変形はバラつきがあるため、ルーバの操作荷重を基準値に管理することはできない。長手壁の撓み（内反り）は長手壁の中央部付近において大きな影響がある。
更に、近年ではインストルメントパネルのデザインや種々の部材の配置の要請から風向調整装置をより細長くすることがあり、この場合にはハウジングの長手壁の撓みはより顕著になりルーバの組付け時の挿入性及び組付性が悪化する原因となる。
【０００７】
本発明は上記問題点を解決すべく、風向調整装置において、ハウジングの開口部の向かい合う長手壁の離間距離が一定に保たれ、かつ、ルーバの組付性を悪化させないようにするための撓み矯正部材を提供することを課題とする。
【課題を解決するための手段】
【０００８】
本発明者等は上記課題を解決すべく、まず、ハウジングのリブ形状を延長して内反りの不具合を解消することを検討した。しかしながらこのようにすると、ハウジング内に壁形状が出来てしまうため、ルーバの振り角の確保や排風性能を満足できなかった。
そこで更なる鋭意探求を重ねた結果、風向調整装置のハウジングの開口部において、長手壁が一定以上撓まないようにハウジングの内側で突っ張りとなる撓み矯正部材であって、一方の端部は長手壁に固定される固定端とし、他方の端部はルーバの取り付け時に長手壁が可動となるようにする端部とすることが有効であることを見出し、本発明を完成させた。
【０００９】
即ち、本発明は以下の構成を採用する。
（１）空調装置から供給される調整風の風向を調整する風向調整装置に設けられる撓み矯正部材であって、
前記風向調整装置はハウジングとルーバとを備え、
前記ハウジングは前記調整風が通流する矩形状の開口部を有し、
前記撓み矯正部材は、前記調整風が通流する上流側の開口部において短手方向と平行な方向に設置され、かつ、一方の端部は前記開口部の壁に固定される固定端であり、他方の端部は前記ルーバの取り付け時に前記開口部の壁が短手方向に可動することを許容する端部であって前記ハウジングの向かい合う長手壁が撓まないように矯正する支持部を有している
ことを特徴とする撓み矯正部材。
（２）上記（１）に記載の前記撓み矯正部材を備えることを特徴とする風向調整装置。
（３）前記撓み矯正部材から前記調整風の通流方向と平行な方向の下流位置の開口部に前記ハウジングと一体に形成された支持柱を有することを特徴とする上記（２）に記載の風向調整装置。
【発明の効果】
【００１０】
上記本発明の撓み矯正部材により、風向調整装置において、ハウジングの開口部の向かい合う長手壁の離間距離を一定に保ち、かつ、ルーバの組付性を悪化させないようにすることが可能な撓み矯正部材を提供することができる。
【図面の簡単な説明】
【００１１】
【図１】（１）本発明に係る風向き調整装置の一例の正面図である。（２）本発明に係る風向調整装置の一例の背面図である。
【図２】図１のＡ−Ａ線断面図である。
【図３】図２におけるａ部分の拡大図である。
【図４】図２におけるｂ部分の拡大図である。
【図５】本発明に係る撓み矯正部材の別の一例を表す概略図である。
【図６】本発明に係る撓み矯正部材の更に別の一例を表す概略図である。
【図７】本発明に係る撓み矯正部材の更に別の一例を表す概略図である。
【図８】図２に示す撓み矯正部材の変形例を表す概略図である。
【図９】（１）従来の風向調整装置の一例の正面図である。（２）従来の風向調整装置の一例の背面図である。
【発明を実施するための形態】
【００１２】
以下、図面を用いて本発明をより詳細に説明する。
図１に示すように前記風向調整装置は、一般に、ハウジング１とルーバ２とを備えている。図１の（１）に風向調整装置の一例の正面図を示し、（２）にその背面図を示す。前記ハウジング１は空調装置から供給される調整風が通流するようになっており、矩形状の開口部を有している。調整風は風向調整装置の背面側の開口部から前面側の開口部へと通流し、その間においてルーバ２によって風向きが調整される。
【００１３】
本発明に係る撓み矯正部材３は前記風向調整装置の前記開口部の調整風が通流する方向の上流側に設けられる。前述のように本発明の撓み矯正部材は風向調整装置の開口部が撓んで内反りすることを抑制するためのものであり、風向調整装置の開口部において短手方向と平行になるように設置される。
図１に示す風向調整装置のＡ−Ａ線断面図を図２に示す。本発明に係る撓み矯正部材の一例の概略図を示す。また、図２のａ部分の拡大図を図３に、図２のｂ部分の拡大図を図４に示す。
【００１４】
図２に示すように、本発明に係る撓み矯正部材３は、ハウジング１の開口部の長手壁の撓みを矯正する支持部４とその両端の端部とからなる。
撓み矯正部材３の一方の端部は前記ハウジング１の開口部の壁に固定されて固定端となるように形成されている。図３に示す例では、ハウジング１の開口部の壁に撓み矯正部材３の端部が引っかかる形状となっている。これにより、例えば、前記ハウジング１にルーバを取り付ける際など、開口部を広げる方向に前記ハウジング１の壁を移動させたとしても、撓み矯正部材３の端部は当該壁に追従して一緒に移動し、ハウジング１から脱落することはない。
【００１５】
なお、前記ハウジング１の開口部の壁と撓み矯正部材３の端部が固定されて固定端になっているとは、撓み矯正部材の端部と開口部の長手壁とが開口部の短手方向に対して相対的に移動しない状態のことをいうものであり、撓み部材の端部は開口部の壁と固着されて完全に固まって一体化している必要はない。図３は、ハウジング１の開口部の壁と撓み矯正部材３の端部とが係合して固定端を形成している例であるが、他にも、前記開口部の壁と撓み矯正部材の端部とが嵌合する形状にしたり、更には、両部材をカシメて固定したりしてもよい。
【００１６】
図５〜図７に撓み矯正部材の変形例を示す。
図５は、撓み矯正部材３の端部にピンを設け、このピンをハウジング１の開口部の壁に設けた孔に挿入し、ピン先端をカシメる例である。図６は、図５とは逆に、ハウジング１の開口部の壁にピンを設け、このピンを撓み矯正部材の端部に設けた孔に挿入してピン先端をカシメる例である。また、図７は、撓み矯正部材３の端部に爪を設け、この爪をハウジング１の開口部の壁に形成した係止爪に係合する例である。
【００１７】
撓み矯正部材３の端部とハウジング１の開口部の壁とを固着させる場合には、例えば、超音波溶着や接着などによって固着させればよい。なお、前述のように固着させることは必須ではなく、撓み矯正部材の端部の形状に応じて必要な場合に行えばよい。
【００１８】
前記撓み矯正部材３の他方の端部は、前記ルーバの取り付け時に前記開口部の壁が短手方向に可動することを許容する端部となっており、前記ハウジング１の向かい合う長手壁が撓まないように矯正する支持部４を有している。図４に示す例では、ハウジング１の開口部の壁に凹部を設け、撓み矯正部材３には突設した嵌合突起を形成し、前記壁の凹部に撓み矯正部材３の凸部を挿入するようになっている。また、撓み矯正部材３は前記開口部の向かい合う長手壁が撓んで内反りしないように前記長手壁を支えて支持するようになっている。
【００１９】
これにより、前記開口部の短手方向の長さＬ（図２参照）は撓み矯正部材３の支持部４の長さよりも短くならないため、撓み矯正部材３の支持部４の長さを前記開口部の短手壁の長さと同じにしておくことで、長手壁が撓んで内反りしないようにすることが可能となる。更に、ルーバを取り付ける際にハウジング１の開口部を広げるように長手壁を移動させたとしても、図４に示す撓み矯正部材３の端部は長手壁と一体となって移動することはなく長手壁のみが短手方向に移動するため、開口部を広げてルーバを取り付けることが可能である。
【００２０】
前記撓み矯正部材の他方の端部の構造は図４に示す構造に限定されるものではなく、係合又は嵌合などによって前記開口部の長手壁に設置される構造となっていればよい。
なお、撓み矯正部材３の支持部４の長さとは、開口部において撓み矯正部材が長手壁の内面と接触して支持する部分の長さのことをいう。
【００２１】
撓み矯正部材が上記の構造を有することにより、ハウジングの開口部の長手壁が撓んで内反りすることを防止し、かつ、ルーバの取り付け時の挿入性及び作業性を向上させることができる。更には、ルーバをハウジングに取り付けた後においても、ハウジングとルーバとの強干渉によってトルクが上昇するという問題も解消することができる。
【００２２】
また、撓み矯正部材は端部の構造が上記のようになっていれば、他の部分の構造は特に限定されず適宜改良を加えることができる。例えば、図８に示すように、撓み矯正部材の支持部４を羽根状に変形することで、空調装置から供給される調整風の俳風性能を向上させることができる。
【００２３】
本発明に係る風向調整装置は前記本発明の撓み矯正部材を備えることを特徴とするものである。前記本発明の撓み矯正部材を備えていることにより、ハウジングの開口部の向かい合う長手壁の離間距離が一定に保たれており、ルーバを取り付けた後のトルク性能も良好にすることができる。
また、本発明に係る風向調整装置においては、前記撓み矯正部材から前記調整風の通流方向と平行な方向の下流位置の開口部に前記ハウジングと一体に形成された支持柱を有していることが好ましい。一般に、風向調整装置のハウジングの前面側にはハウジングと一体に形成された支持柱が設けられている。前記撓み矯正部材をハウジングと一体に形成された支持柱の上流位置に設けることで、風向調整装置の開口率を下げず調整風の通気抵抗が上昇しないようにすることができる。
風向調整装置に設ける撓み矯正部材の数は特に限定されるものではなく、１つであっても２以上の複数個であってもよい。ハウジングの開口部のアスペクト比に応じて適宜変更すればよい。
【産業上の利用可能性】
【００２４】
本発明に係る撓み矯正部材は、例えば、自動車のインストルメントパネルに設けられる風向調整装置などに対して適用することができる。特に、開口部が細長で高アスペクト比の風向調整装置に対して好ましく用いることができる。
【符号の説明】
【００２５】
１      ハウジング
２      ルーバ
３      撓み矯正部材
４      支持部
【図２】
2015218955.tif 000003
【図３】
2015218955.tif 000004
【図４】
2015218955.tif 000005
【図８】
2015218955.tif 000006
【図１】
2015218955.tif 000007
【図５】
2015218955.tif 000008
【図６】
2015218955.tif 000009
【図７】
2015218955.tif 000010
【図９】
2015218955.tif 000011